(57)【要約】【課題】畳にも各種の電源コード、ケーブル、ハーネス、電気・電子配線等をまとめる配線クリップを提供する。【解決手段】畳み敷き部屋での配線クリップであって、ヘッドに配線を挿通するクリップを形成し、その下方に畳み間又は畳みと壁間に差し込む差込脚を形成したことを特徴とする配線クリップ。【選択図】図１
0003227088.tif 000002
【実用新案登録請求の範囲】
【請求項１】
畳み敷き部屋での配線クリップであって、ヘッドに配線を挿通保持するクリップ部を形成し、その下方に畳み間又は畳みと壁間に差し込む差込脚を形成したことを特徴とする配線クリップ。
【請求項２】
前記クリップ部は、配線を挿通保持する穴式クリップ、フック状クリップ、パイプ状クリップ、バネ押え式クリップのいずれか一つで構成したことを特徴とする請求項１又は請求項２に記載の配線クリップ。
【請求項３】
前記差込脚は先端が円弧状に或いは鋭角又は鈍角の差し込み先を形成し、及び抜け防止の顎を付加したことを特徴とする請求項１〜請求項３のいずれか一つに記載の配線クリップ。
【考案の詳細な説明】
【技術分野】
【０００１】  本考案は畳み敷き部屋に有効な配線クリップに関するものである。
【背景技術】
【０００２】  各種の電源コード、ケーブル、ハーネス、電気・電子配線等をまとめることで家屋内の床、天井、壁、デスクや車内を上手にまとめて、すっきりさせるアイテムとして配線クリップがある。【０００３】  コードクリップとしては、クリップ部を支持する手段として磁性体取付専用のマグネット式保持具、接着剤で張り付ける接着式保持具、ネジ受けを備えた壁専用のネジ止め式保持具、差し込み受けを備えた壁専用の差し込み式保持具等々が公知である。
しかしこれらいずれの保持具も、配線する床、天井、壁、ディスクなどの相手側に
１）、磁性体であること、
２）、接着性があること、
３）、ネジ受け構造を形成していること
４）、抜け防止構造のある差し込み受け構造であること
等の特有の条件を必要とするものであった。【０００４】  このために、畳などへの各種の電源コード、ケーブル、ハーネス、電気・電子配線等をまとめるコードクリップは存在しなかった。
即ち、畳には前記した特有の条件を付加することが不可能であるからである。
【考案の概要】
【考案が解決しようとする課題】
【０００５】  そこで本考案は、畳にも各種の電源コード、ケーブル、ハーネス、電気・電子配線等をまとめる配線クリップを提供する。
【課題を解決するための手段】
【０００６】  本考案は、前記課題を解決する技術的手段として次の（１）を特徴とするものである。
（１）、畳み敷き部屋での配線クリップであって、ヘッドに配線を挿通保持するクリップを形成し、クリップの下方に畳み間又は畳みと壁間に差し込む差込脚を形成したことを特徴とする配線クリップ。
本考案の前記配線クリップにおいて、前記クリップは、配線を挿通保持する円状穴式クリップ、鍵状やフック状クリップ、パイプ状クリップ、バネ押え式クリップ等で構成される。
本考案の配線クリップにおいて、前記ヘッドのクリップの下方に形成する差込脚は、畳み間又は畳みと壁間の隙間に差し込む薄型のものであり、先端が円弧状に或いは鋭角又は鈍角の差し込み先を形成したものであり、配線の種類によっては抜け防止の顎を付加した差込脚とすることも良い。
本考案の配線クリップにおいて、前記クリップは、金属製、合成樹脂製、或いはこれ等の合成により作成する。
【考案の効果】
【０００７】  本考案の配線クリップは前記した特徴の簡単な構成により、畳にも各種の電源コード、ケーブル、ハーネス、電気・電子配線等をまとめることを有利に可能にする等の優れた作用効果を呈するものである。
【図面の簡単な説明】
【０００８】
【図１】本考案の実施例１の配線クリップを示す側面説明図（１）であり、その正面図（２）である。
【図２】本考案の実施例２の配線クリップを示す側面説明図（１）と（２）であり、その正面図（３）る。
【図３】本考案の実施例３の配線クリップを示す側面説明図（１）と（２）であり、その正面図（３）る。
【図４】本考案の実施例３の配線クリップを示す側面説明図（１）と（２）であり、その正面図（３）る。
【考案を実施するための態様】
【０００９】  本考案の実施態様は、図１〜図４に示す実施例により詳細に説明する。
【実施例１】
【００１０】  本例の畳み敷き部屋での配線クリップ１００は、金属製でヘッドのクリップ部１０１を配線ＨＳを挿通保持する矩形状の挿通穴を有するリングであり、差込脚１０２は畳みと壁間に差し込んでも摩擦保持力が強き抜けにくい扁平状で先端が差し込みを容易にする半円弧状１０４にしたシンプルな配線クリップである。叉差込脚１０２は軽量化及び強度を持たせるために切欠き部１０３を形成してある。
【実施例２】
【００１１】  本例の畳み敷き部屋での配線クリップ２００は、樹脂製のヘッドのクリップ部２０１を（１）に示すようにバネ式の開閉部２０３を少し開けてそこの下方から配線ＨＳを挿通保持するバネ押え式保線部であり、差込脚２０２は畳みと壁間に差し込んでも摩擦保持力が強き抜けにくい扁平状で先端を差し込みを容易にする鋭角２０５にし、更に抜け防止の顎２０４を付設した配線クリップである。叉差込脚２０２は軽量化及び強度を持たせるために切欠き部２０６を形成してある。
【実施例３】
【００１２】  本例の畳み敷き部屋での配線クリップ３００は、樹脂製のヘッドのクリップ部３０１を（１）に示すように開閉部３０３を開けてそこの側部上方から配線ＨＳを挿通保持する開閉式保線部であり、差込脚３０２は金属製で畳みと壁間に差し込んでも摩擦保持力が強き抜けにくい扁平状にしその先端を差し込みを容易にする半円形状３０４にした配線クリップである。
開閉部３０３の先端はホック式に相手と嵌りロック及び解除可能にしたものである。
叉差込脚３０２は軽量化及び強度を持たせるために切欠き部３０５を形成してある。
【実施例４】
【００１３】  本例の畳み敷き部屋での配線クリップ４００は、金属製のヘッドのクリップ部４０１を（１）に示すように下方開放４０３型フックでそこの下方から配線ＨＳを挿通保持するフック式保線部であり、差込脚４０２は金属製で畳みと壁間に差し込んでも摩擦保持力が強き抜けにくい扁平状で先端を差し込みを容易にする半円形４０５にし、更に抜け防止の顎４０４を付設した配線クリップである。叉差込脚４０２は軽量化及び強度を持たせるために切欠き部４０６を形成してある。
【産業上の利用可能性】
【００１４】  本考案の配線クリップは、前記の優れた作用効果を呈するものであり、一般家庭への寄与は勿論のこと、配線業界に貢献すること多大なものある。
【符号の説明】
【００１５】１００、２００、３００、４００：配線クリップ
１０１、２０１、３０１、４０１：クリップ部
ＨＳ：配線
１０２、２０２、３０２、４０２：差込脚
２０３、３０３：開閉部
４０３：下方開放部
２０４、４０４：顎
【図１】
0003227088.tif 000003
【図２】
0003227088.tif 000004
【図３】
0003227088.tif 000005
【図４】
0003227088.tif 000006
【手続補正書】
【提出日】令和2年4月12日(2020.4.12)
【手続補正１】
【補正対象書類名】実用新案登録請求の範囲
【補正対象項目名】全文
【補正方法】変更
【補正の内容】
【実用新案登録請求の範囲】
【請求項１】
畳み敷き部屋での配線クリップであって、ヘッドに配線を挿通保持するクリップ部を形成し、その下方に畳み間又は畳みと壁間に差し込む差込脚を形成したことを特徴とする配線クリップ。
【請求項２】
前記クリップ部は、配線を挿通保持する穴式クリップ、フック状クリップ、パイプ状クリップ、バネ押え式クリップのいずれか一つで構成したことを特徴とする請求項１に記載の配線クリップ。
【請求項３】
前記差込脚は先端が円弧状に或いは鋭角又は鈍角の差し込み先を形成し、及び抜け防止の顎を付加したことを特徴とする請求項１又は請求項２に記載の配線クリップ。